(57)【要約】【課題】測定部を体表面に接触させた状態においてユーザが表示部の表示内容を容易に視認することのできる生体情報測定装置を提供する。【解決手段】この生体情報測定装置１０は、体組成を測定する測定部３０と、同測定部３０に設けられて体組成の測定結果を表示する表示部５０とを含む。そして、表示部５０が測定部３０に対して可動する。【選択図】図１
2011200461.tif 000002
【特許請求の範囲】
【請求項１】
体組成を測定する測定部と、同測定部に設けられて体組成の測定結果を表示する表示部とを含む生体情報測定装置において、
前記表示部が前記測定部に対して可動する
ことを特徴とする生体情報測定装置。
【請求項２】
請求項１に記載の生体情報測定装置において、
前記測定部の取り付けおよび前記測定部の取り外しができる本体部を含む
ことを特徴とする生体情報測定装置。
【請求項３】
請求項１または２に記載の生体情報測定装置において、
前記測定部は、体表面に接触した状態で体組成の測定を行う第１測定部と、手に把持された状態で体組成の測定を行う第２測定部とを含むものであり、
前記表示部は、前記第１測定部により体組成の測定が行われるときの測定態様に応じた第１の位置と、前記第２測定部により体組成の測定が行われるときの測定態様に応じた第２の位置とを選択することができるものである
ことを特徴とする生体情報測定装置。
【請求項４】
請求項１〜３のいずれか一項に記載の生体情報測定装置において、
前記表示部を前記測定部に対して固定するための固定部を含む
ことを特徴とする生体情報測定装置。
【請求項５】
請求項１〜４のいずれか一項に記載の生体情報測定装置において、
前記測定部に対する前記表示部の可動状態が体組成の測定態様に応じて自動的に変更される
ことを特徴とする生体情報測定装置。
【請求項６】
請求項１〜５のいずれか一項に記載の生体情報測定装置において、
前記表示部の大きさを変更するための変更部を含む
ことを特徴とする生体情報測定装置。
【発明の詳細な説明】
【技術分野】
【０００１】
本発明は、体組成を測定する測定部と、同測定部に設けられて体組成の測定結果を表示する表示部とを含む生体情報測定装置に関する。
【背景技術】
【０００２】
上記の生体情報測定装置として、例えば特許文献１に記載のものが知られている。
この生体情報測定装置では、測定部が体表面に接触した状態で体組成の測定を行う。また、測定結果を表示部に表示することによりユーザに体脂肪率等の情報を報知している。
【先行技術文献】
【特許文献】
【０００３】
【特許文献１】特開２００３−３１０５７５号公報
【発明の概要】
【発明が解決しようとする課題】
【０００４】
ところで、この生体情報測定装置では、表示部が設けられている箇所については記載されていないが、測定部を体表面に接触させて体組成を測定する構成からすれば、表示部は測定面とは反対の面に設けられていると考えられる。このため、ユーザが体組成の測定を行いながら表示部の表示内容を確認することが難しい。
【０００５】
本発明の目的は、測定部を体表面に接触させた状態においてユーザが表示部の表示内容を容易に視認することのできる生体情報測定装置を提供することにある。
【課題を解決するための手段】
【０００６】
本発明の生体情報測定装置は、体組成を測定する測定部と、同測定部に設けられて体組成の測定結果を表示する表示部とを含むものであり、前記表示部が前記測定部に対して可動することを特徴とする。
【０００７】
この生体情報測定装置において、前記測定部の取り付けおよび前記測定部の取り外しができる本体部を含むことが好ましい。
この生体情報測定装置において、前記測定部は、体表面に接触した状態で体組成の測定を行う第１測定部と、手に把持された状態で体組成の測定を行う第２測定部とを含むものであり、前記表示部は、前記第１測定部により体組成の測定が行われるときの測定態様に応じた第１の位置と、前記第２測定部により体組成の測定が行われるときの測定態様に応じた第２の位置とを選択することができるものであることが好ましい。
【０００８】
この生体情報測定装置において、前記表示部を前記測定部に対して固定するための固定部を含むことが好ましい。
この生体情報測定装置において、前記測定部に対する前記表示部の可動状態が体組成の測定態様に応じて自動的に変更されることが好ましい。
【０００９】
この生体情報測定装置において、前記表示部の大きさを変更するための変更部を含むことが好ましい。
【発明の効果】
【００１０】
本発明によれば、測定部を体表面に接触させた状態においてユーザが表示部の表示内容を容易に視認することのできる生体情報測定装置を提供することができる。
【図面の簡単な説明】
【００１１】
【図１】本発明の生体情報測定装置の第１実施形態について、（ａ）は本体部に測定部が取り付けられた状態を示す全体斜視図、（ｂ）は本体部から測定部が取り外された状態を示す全体斜視図。
【図２】同実施形態の測定部について、（ａ）は表示部が第２の位置にあるときの正面構造を示す正面図、（ｂ）は表示部が第２の位置にあるときの平面構造を示す平面図。
【図３】同実施形態の測定部について、（ａ）は表示部が第１の位置にあるときの正面構造を示す正面図、（ｂ）は表示部が第１の位置にあるときの平面構造を示す平面図。
【図４】同実施形態の測定部について、（ａ）は表示部が第２の位置にあるときの斜視構造を示す斜視図、（ｂ）は表示部が第１の位置にあるときの斜視構造を示す斜視図。
【図５】同実施形態の測定部について、その背面構造を示す背面図。
【図６】同実施形態の生体情報測定装置を用いた第１の測定方法により体組成を測定するときの状態を示す動作図。
【図７】同実施形態の生体情報測定装置を用いた第２の測定方法により体組成を測定するときの状態を示す動作図。
【図８】本発明の第２実施形態について、その測定部の背面構造を示す背面図。
【発明を実施するための形態】
【００１２】
（第１実施形態）
図１〜図７を参照して、本発明の第１実施形態について説明する。
図１に、生体情報測定装置１０の構成を示す。なお、図１（ａ）は、測定部３０が本体部２０に取り付けられた状態を示す。また図１（ｂ）は、同測定部３０が同本体部２０から取り外された状態を示す。
【００１３】
生体情報測定装置１０は、ユーザが両足を載せて体組成を測定するための本体部２０と、ユーザが両手に把持して体組成を測定するための測定部３０とにより構成されている。これら本体部２０および測定部３０はコード２８により互いに接続されている。
【００１４】
本体部２０には、複数の電極等を有する載置部２１と、生体情報測定装置１０の電源をオンおよびオフするための電源２６と、測定部３０を収容するためのホルダー２７とが設けられている。
【００１５】
載置部２１には、インピーダンスを測定するための足電極２２が設けられている。足電極２２としては、生体に電流を供給するための一対の通電電極２３と、生体内を流れる電流の電圧を測定するための一対の測定電極２４が設けられている。各電極２３，２４の下方には荷重センサ２５が設けられている。
【００１６】
測定部３０には、ユーザが把持するための把持部３１と、体組成の測定のために必要となる情報の入力等のためにユーザが操作する入力部４０と、体組成の測定結果等を表示するための表示部５０とが設けられている。
【００１７】
把持部３１には、インピーダンスを測定するための手電極３２が設けられている。手電極３２としては、生体に電流を供給するための一対の通電電極３３（図５参照）と、生体内を流れる電流の電圧を測定するための一対の測定電極３４が設けられている。
【００１８】
また、測定部３０の背面には、インピーダンスを測定するための腹電極３５（図５参照）が設けられている。腹電極３５としては、生体に電流を供給するための一対の通電電極３６（図５参照）と、生体内を流れる電流の電圧を測定するための一対の測定電極３７（図５参照）が設けられている。
【００１９】
入力部４０には、ユーザ毎に予め登録された情報を呼び出すためのユーザボタン４１、およびユーザが各種の情報を入力するときに数値等を選択するための選択ボタン４２、測定モード等を設定するための設定ボタン４３が設けられている。
【００２０】
測定部３０には、同測定部３０に対して回転可能な表示部５０が設けられている。表示部５０には、種々の情報を表示するための表示パネル５１が設けられている。
本体部２０内の演算部では、荷重センサ２５の検出値に基づいてユーザの体重を算出する。また、足電極２２または手電極３２により測定された電圧に基づいてインピーダンスを算出し、このインピーダンスに基づいて筋肉量、体脂肪量、内臓面積、水分量および骨量等の体組成成分を算出する。算出された体重等は表示部５０の表示パネル５１に表示される。
【００２１】
図２〜図４を参照して、表示部５０の可動態様について説明する。なお、図４に示される位置切替部７０は、本発明の第３実施形態において測定部３０に追加されるものであるため、ここではその説明を省略する。
【００２２】
測定部３０および表示部５０には、同測定部３０に対する同表示部５０の回転位置を所定の角度毎に固定するためのダイヤル式のロック機構（固定部）が設けられている。
このロック機構は、表示部５０に設けられて周方向に一定の間隔をおいて凹部を有する被係合部材と、測定部３０に設けられて表示部５０の凹部に係合する係合部材とを含む。
【００２３】
表示部５０の回転にともない係合部材が被係合部材の凹部に係合したとき、測定部３０に対する表示部５０の回転位置が固定される。すなわち、ロック機構が「ロック状態」となる。そして、ロック機構がロック状態にある状態において、表示部５０に所定量よりも大きいトルクが加えられたとき、被係合部材と係合部材との係合が解除されて表示部５０が測定部３０に対して回転する。すなわち、ロック機構が「アンロック状態」となる。
【００２４】
図２（ａ）および図４（ａ）に示されるように、表示部５０の測定部３０に対する回転位置が、第２の位置にあるとき、測定部３０の被係合部材が表示部５０の係合部材に係合してロック機構がロック状態となる。測定部３０に対する表示部５０の回転位置が第２の位置にあるときには、表示パネル５１が測定部３０の正面に現れる。また、図２（ｂ）および図４（ａ）に示されるように、表示部５０の上面には表示パネル５１が現れない。
【００２５】
ロック状態からユーザが表示部５０に所定量よりも大きいトルクを付与したとき、測定部３０の被係合部材と表示部５０の係合部材との係合が解除されて、ロック機構がアンロック状態となる。すなわち、表示部５０が測定部３０に対して前面から上面に向けて回転する。
【００２６】
図３（ｂ）および図４（ｂ）に示されるように、測定部３０に対する表示部５０の回転位置が第１の位置に移動したとき、測定部３０の被係合部材が再び表示部５０の係合部材に係合してロック機構がロック状態となる。測定部３０に対する表示部５０の回転位置が第１の位置にあるときには、表示パネル５１が測定部３０の上面に現れる。また、図３（ａ）および図４（ｂ）に示されるように、表示部５０の正面には表示パネル５１が現れない。また、表示パネル５１が測定部３０の上面に現れるときには、生体情報の測定結果の数値等がユーザ側に向けて表示される。すなわち、測定部３０の上面に表示パネル５１が現れるときの同パネル５１における数値等の上下の向きは、測定部３０の正面に表示パネル５１が現れるときの同パネル５１における数値等の上下の向きと反対になる。
【００２７】
図６および図７を参照して生体情報測定装置１０による体組成の測定方法を説明する。
生体情報測定装置１０では、測定部３０の腹電極３５を体表面に押し付けて体組成成分を測定する第１の測定方法と、手電極３２を把持して体組成成分を測定する第２の測定方法とのいずれかを選択して体組成成分を測定することができる。
【００２８】
図６を参照して、第１の測定方法について説明する。
ユーザは、腹部まわりの皮下脂肪量を測定するとき、立位の状態で両方の手に測定部３０を持ち、この測定部３０を体表面に押し付ける。このとき、測定部３０に対する表示部５０の回転位置を第１の位置に設定することにより、ユーザが測定部３０を見下ろすかたちで表示パネル５１の表示内容を確認することができる。
【００２９】
図７を参照して、第２の測定方法について説明する。
ユーザは、全身の皮下脂肪量を測定するとき、両足のつま先がそれぞれ通電電極２３に、両足の踵がそれぞれ測定電極２４の上に位置するようにして載置部２１の上にのる。そして、この立位の状態で両方の手に測定部３０の手電極３２を把持部した後に腕を水平に上げ、ひじをまっすぐ前に伸ばす。このとき、測定部３０に対する表示部５０の回転位置を第２の位置に設定することにより、ユーザは正面を向いた状態で表示パネル５１の表示内容を視認することができる。
【００３０】
本実施形態によれば、以下の効果を奏することができる。
（１）生体情報測定装置１０では、表示部５０が測定部３０に対して可動して第１の位置および第２の位置を選択することができる。これにより、測定方法として第１の測定方法および第２の測定方法のいずれが選択されているときであっても、体組成を測定しているときにユーザが表示パネル５１の表示内容を容易に視認することができるようになる。
（第２実施形態）
図８を参照して、本発明の第２実施形態について説明する。なお以下では、第１実施形態の構成からの変更点を中心に説明し、同実施形態と共通する構成については同一の符合を付してその説明を省略する。
【００３１】
第１実施形態の生体情報測定装置１０では、生体インピーダンスを測定し、これに基づいて各体組成の数値を演算している。これに対して本実施形態の生体情報測定装置１０では、生体を伝播した光の量を測定し、これに基づいて各体組成の数値を演算している。すなわち、第１実施形態の腹電極３５に代えて光学式測定部６０が設けられている。
【００３２】
光学式測定部６０は、光源６１および第１受光素子６２および第２受光素子６３により構成されている。これらは上下方向の上から光源６１，第１受光素子６２および第２受光素子６３の順に配置されている。
【００３３】
光源６１から生体に対して照射された光は、散乱および吸収されながら生体内を伝播して再び体表面に現れる。この光は、第１受光素子６２または第２受光素子６３により受光される。皮下脂肪は光の移動に対して抵抗となるため、生体内の皮下脂肪の量が多いときには生体内から体表面に伝搬する光量が少なくなる。このため、第１受光素子６２または第２受光素子６３の受光量が少なくなる。一方、皮下脂肪が少ないときには生体内から体表面に伝搬する光量が多くなるため、第１受光素子６２または第２受光素子６３の受光量が多くなる。
【００３４】
第１受光素子６２においては、光源６１から生体内に照射された光のうち、主に筋肉に到達する前に体表面に伝搬した光が受けられる。第２受光素子６３においては、光源６１から生体内に照射された光のうち、主に皮膚および皮下脂肪を通過して筋肉に到達した後に体表面に伝搬した光が受けられる。
【００３５】
測定部３０は、第１受光素子６２の受光量ＺＡに対する第２受光素子６３の受光量ＺＢの比率（Ｂ／Ａ）である受光量比率を算出し、この算出した受光量比率に基づいて皮下脂肪量を算出する。
【００３６】
測定部３０による体組成の測定方法を説明する。
ユーザは、腹部まわりの皮下脂肪量を測定するとき、立位の状態で両方の腕に測定部３０を持ち、測定部３０に対する表示部５０の位置を第１の位置に設定した状態で測定部３０を体表面に押し付ける。そして、この状態で測定部３０による測定を開始する。測定部３０は、受光量の測定結果に基づいて算出した皮下脂肪量を表示部５０に表示する。
【００３７】
本実施形態によれば、先の第１実施形態による前記（１）の効果、すなわち体組成を測定しているときにユーザが表示パネル５１の表示内容を視認しやすい旨の効果を奏することができる。
（第３実施形態）
図４を参照して、本発明の第３実施形態について説明する。なお以下では、前記第１実施形態の構成からの変更点を中心に説明し、同実施形態と共通する構成については同一の符合を付してその説明を省略する。
【００３８】
第１実施形態の生体情報測定装置１０では、ユーザが直接的に表示部５０を回転させて第１の位置または第２の位置を選択する構成を採用している。これに対して本実施形態の生体情報測定装置１０では、ユーザが位置切替部７０を操作することにより、操作したボタンに応じて表示部５０が自動的に変更される。
【００３９】
位置切替部７０は、測定部３０の前面に設けられている。位置切替部７０としては、表示部５０の位置を第１の位置に設定するための第１の切替ボタン７１と、表示部５０の位置を第２の位置に設定するための第２の切替ボタン７２とが設けられている。
【００４０】
測定部３０内には、表示部５０を測定部３０に対して回転させるためのアクチュエータが設けられている。このアクチュエータは、位置切替部７０の操作に応じて次のように動作する。
【００４１】
図４（ａ）に示されるように、第２の切替ボタン７２が押し下げられたとき、これにともない送信される駆動信号に基づいて表示部５０を第２の位置まで回転させる。また、表示部５０が第２の位置にあるときには表示部５０を同位置に保持する。
【００４２】
図４（ｂ）に示されるように、第１の切替ボタン７１が押し下げられたとき、これにともない送信される駆動信号に基づいて表示部５０を第１の位置まで回転させる。また、表示部５０が第１の位置にあるときには表示部５０を同位置に保持する。
【００４３】
本実施形態によれば、先の第１実施形態による前記（１）の効果、すなわち体組成を測定しているときにユーザが表示パネル５１の表示内容を視認しやすい旨の効果に加え、以下の効果を奏することができる。
【００４４】
（２）位置切替部７０を選択することにより、表示部５０の可動状態が体組成の測定態様に応じて自動的に変更されるようにした。これにより、測定態様毎にユーザが表示部５０を可動する操作を省くことができるようになる。また、位置切替部７０を操作することにより、表示部５０が自動的にそのときどきに選択されている測定態様に応じた最適な回転位置に移動するため、体組成を測定しているときにユーザが表示パネル５１の表示内容を容易に視認することができる。
【００４５】
（その他の実施形態）
本発明の生体情報測定装置の実施態様は、上記各実施形態にて例示した実施態様に限られるものではなく、例えば以下に示すように変更することもできる。また、以下に示される各変形例は、対応する実施形態にのみ適用されるものではなく、異なる変形例同士を互いに組み合わせて実施することもできる。
【００４６】
・上記第１実施形態では、ダイヤル式のロック機構により表示部５０を第１の位置または第２の位置に固定できる構造を採用したが、表示部５０を任意の位置で固定することのできるロック機構を備えることもできる。具体的には、第１実施形態のロック機構に代えて、例えばフリーストップヒンジを備えるロック機構を採用することもできる。この構成によれば、表示部５０をユーザが目的とする任意の位置に固定して体組成を測定することができるため、測定結果を一層容易に視認することができる。
【００４７】
・上記第３実施形態では、測定部３０に位置切替部７０を設けたが、位置切替部７０を本体部２０に設けることもできる。
・上記第３実施形態では、位置切替部７０の第１の切替ボタン７１の操作に基づいて表示部５０を第１の位置に維持したが、これを次のように変更することもできる。すなわち、測定部３０の背面が体表面に接触したことを検知するセンサを設け、このセンサにより測定部３０の背面が体表面に接触したことが検出されたことに基づいて表示部５０を第１の位置に維持することもできる。
【００４８】
・上記各実施形態の表示部５０に、変更部としてのレンズを設けることもできる。具体的には、表示部５０の表面のうち、表示パネル５１が設けられた面の下方にレンズを挿入することのできるガイド部を設け、このガイド部にレンズを挿入するようにする。これにより、表示パネル５１に表示される項目および測定結果が大きく拡大されるため、ユーザが表示内容を一層視認しやすくなる。
【００４９】
・上記各実施形態では、第１の測定方法により、腹部の皮下脂肪量を測定するようにしたが、第１の測定方法により測定される部位はこれに限られない。例えば、大腿や二の腕裏側等の皮下脂肪量を測定することもできる。
【００５０】
・上記各実施形態では、本体部２０を備える生体情報測定装置１０としたが、本体部２０を省略することもできる。この場合には、本体部２０に設けられた機能が測定部３０に設けられる。
【００５１】
・上記各実施形態では、載置部２１と測定部３０との間にコード２８を設けたが、載置部２１と測定部３０とにそれぞれ通信手段を設け、電波、光などを用いてワイヤレスで信号を送受信することもできる。
【符号の説明】
【００５２】
１０…生体情報測定装置、２０…本体部、３０…測定部、３２…手電極（第２測定部）、３５…腹電極（第１測定部）、５０…表示部。
【図１】
2011200461.tif 000003
【図２】
2011200461.tif 000004
【図３】
2011200461.tif 000005
【図４】
2011200461.tif 000006
【図５】
2011200461.tif 000007
【図６】
2011200461.tif 000008
【図７】
2011200461.tif 000009
【図８】
2011200461.tif 000010